(57)【要約】【課題】  ダム底部の堆積物と取水堰内側堆積物は時間とともに増えていく、ダムの堰堤より外側に堆積物を出すには、エネルギーの消費と動力必要とする、取水堰の内側堆積物の除去には、可動取水堰を開けた場合、大量な土、砂が短時間で流下するために、下流側に急激な水質の変化をもたらして魚業権などの問題が発生するので、可動取水堰を開けることは問題がある。【解決手段】  ダム底部の堆積物はサイフォン作用の力で、放流水と一緒に堆積物をだす、取水堰においても、平型トンネル形状の中にサイフォン作用発生させて、放流水と一緒に堆積物を流下させる。【選択図】図７
2013142283.tif 000002
【特許請求の範囲】
【請求項１】
ダムの底部に堆積する土、砂などを、堰堤を越えてダムの外側に排出する。水中掃除機です。
ダムの底部面に接する取水口は、筒状の管で、先端部は斜めにカット面の口を設けて、平板の表面から中に取水口を差込して、平板裏側面はダムの底部面に接する底部面取水口となる、平板の表側面は管を斜めカット面には浮遊物の入防止柵を設けた水中取水口となる、平板の表側面と裏側面の両面とも取水口となる。
水流と一緒に堆積物の土、砂などを吸い込む取水口で、取水Ｔ字管となり、取水口の反対側は水面まで接続される支柱管接続口で、中間接続口は吸い込み管接続口となります。
支柱管接続口には、水面まで届く長い支柱管で水面より出る管の先に浮き玉を固定させ、浮き玉を固定する支柱管の長さを調整することで、取水口よりダム底部面の堆積物を掘削する深さを調整する、一定の深さまでの堆積物の土、砂を取水口が掘り下げると、水面より高い位置にある浮き玉が、水面に浮き玉が接することで、水面に浮き玉が浮く状態となると、取水口もダム底部面から離れて、取水口から堆積物の土、砂の吸い込みが少なくなり、水面の浮き玉が水面を移動しやすくなることで、取水口もダム底部面に対しても移動しやすくなり。別な場所のダム底部面の堆積物の土、砂を取水口が吸い込みを可能となる。
取水Ｔ字管の中間接続口に接続された吸い込み管の構造は、ジャバラ管でダム底部面に敷設されたジャバラ管の反対側は中継箱と接続します、ダム底部面に設置された中継箱入口側はジャバラ管が接続されます中継箱の出口側は内側排水エンビ管が接続され、内側排水エンビ管として堰堤に向けて、斜め上側向けて設置されていき、堰堤を越えて堰堤の外側面より外側排水エンビ管となり、下側に向けて敷設する外側排水エンビ管の先端部より堰堤の内側の水を出すときに、ダム底部面堆積物の土、砂も水と一緒に排出する、サイホン作用を応用したことを特徴とする水中掃除機。
【発明の詳細な説明】
【技術分野】
【０００１】  本発明は、ダムの底部に堆積する土、砂など堰堤を越えて、ダムの外側に水と堆積物を一緒に排出する水中掃除機です。
【背景技術】
【０００２】  従来のダム底部堆積物を撤去は、水面より船で底部の堆積物を船上に引き上げて、底部堆積物を撤去するにはエネルギーの消費をともなう方法である。
【発明の開示】
【発明が解決しようとする課題】
【０００３】  前記の堆積物の撤去は、人手とエネルギー消費をともなう作業である。
本発明は、エネルギー消費がゼロのサイホン作用を活用した、水中掃除機を提案する。
【課題を解決するための手段】
【０００４】  本発明は、上記目的を達成するために。
ダムの底部面に接する取水口は、筒状の管で、先端部は斜めにカット面の口を設けて、平板の表面から中に取水口を差込して、平板裏側面はダムの底部面に接する底部面取水口となる、平板の表側面は管を斜めカット面には浮遊物の進入防止柵を設けた水中取水口となる、平板の表側面と裏側面の両面とも取水口となる。
水流と一緒に堆積物の土、砂などを吸い込む取水口で、取水Ｔ字管となり、取水口の反対側は水面まで接続される支柱管接続口で、中間接続口は吸い込み管接続口となります。
支柱管接続口には、水面まで届く長い支柱管で水面より出る管の先に浮き玉を固定させ、浮き玉を固定する支柱管の長さを調整することで、取水口よりダム底部面の堆積物を掘削する深さを調整する、一定の深さまでの堆積物の土、砂を取水口が掘り下げると、水面より高い位置にある浮き玉が、水面に浮き玉が接することで、水面に浮き玉が浮く状態となると、取水口もダム底部面から離れて、取水口から堆積物の土、砂の吸い込みが少なくなり、水面の浮き玉が水面を移動しやすくなることで、取水口もダム底部面に対しても移動しやすくなり。別な場所のダム底部面の堆積物の土、砂を取水口が吸い込みを可能となる。
取水Ｔ字管の中間接続口に接続された吸い込み管の構造は、ジャバラ管でダム底部面に敷設されたジャバラ管の反対側は中継箱と接続します、ダム底部面に設置された中継箱入口側はジャバラ管が接続されます中継箱の出口側は内側排水エンビ管が接続され、内側排水エンビ管として堰堤に向けて、斜め上側向けて設置されていき、堰堤を越えて堰堤の外側面より外側排水エンビ管となり、下側に向けて敷設する外側排水エンビ管の先端部より堰堤の内側の水を出すときに、ダム底部面堆積物の土、砂も水と一緒に排出する、サイホン作用を応用したことを特徴とする水中掃除機で上記の課題を解決した。
【発明の効果】
【０００５】  上述したように、ダムの堆積物を自然エネルギーを活用して、ダムの堆積物を、ダム堰堤の外側に水流と共に堆積物も流下することが可能である。
【発明を実施するための形態】
【０００６】  以下、本発明の実施の形態を図１−図１１に基づいて説明する。
図１は、取水Ｔ字管平面図を示す。
取水Ｔ字管４は、管状の筒管で、上側と中間に接続口となり、下側は取水口となり、上側接続口は支柱管接続口１となります。
【０００７】  図２は、取水Ｔ字管左側面図を示す。
水中取水口２の構造は、先端部から斜めにカット面を設けて、水中取水口２は、入口に水中浮遊物の進入防止柵５設けている。
【０００８】  図３は、取水Ｔ字管正面図を示す。
取水Ｔ字管４は、平板３の中に底部面取水口７を差し入れて組立され、平板３の上には進入防止柵５が立っている。
【０００９】  図４は、取水Ｔ字管右側面図を示す。
取水Ｔ字管４の、中間接続口は吸い込み管接続口６を設けてある。
【００１０】  図５は、取水Ｔ字管底面図を示す。
平板３の裏側面は底部面取水口７を設けてある。
【００１１】  図６は、中継箱図を示す。
中継箱１５は、中継箱入口８と中継箱出口９を設けて、入口から流入した水は出口側にサイホン作用の時に流れ出て行く。
【００１２】  図７は、ダム水中掃除機設置平面図を示す。
ダム内側の堆積物１８の上に、取水Ｔ字管４を設置して、吸い込み管１４接続して、その反対側を中継箱入口８に接続して、中継箱１５の中継箱出口９に内側排水エンビ管１０を接続している。
【００１３】  図８は、ダム外側面正面図を示す。
堰堤１７を越えた、外側排水エンビ管１１を設けて、その先端部１２よりダム内部の水が流下していく。
【００１４】  図９は、ダムの水中掃除機設置断面図を示す。
ダム内側の堆積物１８の上に取水Ｔ字管４を設置して、ダムの堰堤１７を越えて、外側排水エンビ管１１よりダムの内側の貯留水を外側に流下するには、ダムの水面１９が、内側排水エンビ管１０の堰堤１７の上面の内側排水エンビ管１０管径の全周をオーバーフロー水が流下した時に、サイホン作用が発生して、取水Ｔ字管４から、吸い込み管１４を通り、中継箱１５の中を通り、内側排水エンビ管１０から、外側排水エンビ管１１の先端部１２より、堆積物１８の土、砂も水と一緒に排水するサイホン作用活用した自然エネルギー利用となる。
【００１５】  図１０は、堆積物の排出前の図を示す。
取水Ｔ字管４は堆積物１８の上面に設置され、浮き玉１３は、ダムの水面１９の上に出ている、サイホン作用がまだ発生していない状態である。
【００１６】  図１１は、堆積物の排出後の図を示す。
サイホン作用が発生して、取水Ｔ字管４の低部面取水口７と水中取水口２から流入が始まると、水流の速さで、堆積物１８の一部も水流の中に混ざって吸い込み管１４の中に流入していく、底部面取水口７に接した堆積物１８が、少しづつ削られて窪みが出来ていきます、窪みが一定の深さになると、水面の浮き玉１３がダムの水面１９に浮き状態になると、取水Ｔ字管４が、これ以上深く、窪みが出来なくなることで。窪みが一定の深さまでとなり、底部面取水口７は、水中に浮く状態となり、浮き玉１３が水面を移動しやすくなり、低部面取水口７も底部面の移動することが可能となる。
【図面の簡単な説明】
【００１７】
【図１】  取水Ｔ字管平面図
【図２】  取水Ｔ字管左側図
【図３】  取水Ｔ字管正面図
【図４】  取水Ｔ字管右側図
【図５】  取水Ｔ字管底面図
【図６】  中継箱図
【図７】  ダム水中掃除機設置平面図
【図８】  ダム外側面正面図
【図９】  ダム水中掃除機設置断面図
【図１０】  堆積物の排出前の図
【図１１】  堆積物の排出後の図
【符号の説明】
【００１８】１、支柱管接続口
２、水中取水口
３、平板
４、取水Ｔ字管
５、進入防止柵
６、吸い込み管接続口
７、低部面取水口
８、中継箱入口
９、中継箱出口
１０、内側排水エンビ管
１１、外側排水エンビ管
１２、先端部
１３、浮き玉
１４、吸い込み管
１５、中継箱
１６、支柱管
１７、堰堤
１８、堆積物
１９、ダムの水面
【図１】
2013142283.tif 000003
【図２】
2013142283.tif 000004
【図３】
2013142283.tif 000005
【図４】
2013142283.tif 000006
【図５】
2013142283.tif 000007
【図６】
2013142283.tif 000008
【図７】
2013142283.tif 000009
【図８】
2013142283.tif 000010
【図９】
2013142283.tif 000011
【図１０】
2013142283.tif 000012
【図１１】
2013142283.tif 000013
【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
ダム底部の堆積物と、取水堰内側の堆積物などを、放流水と一緒に取り出すことが可能なサイフォンクリーである。
ダムの底部面に接する取水Ｔ字管は、筒状の管で、先端部には斜めにカットした面取水口を設けて、底部面に接する平板には、中心部に穴を設けて、ここに斜めにカットされた取水Ｔ字管を差し込み固定する。
平板のダム底部面に接する裏側面は、底部面取水口となる。
平板の表側面は、斜めカット面が出ている、表側取水口となる。
水中からの表面取水口には浮遊物の進入防止柵を設けて、、平板の表側面と裏側面の２か所とも取水口となる。
取水Ｔ字管は平板に固定され、平板の表面と裏面の両面が取水口となる。
取水Ｔ字管の上側管口は、水面まで伸びる支柱管接続口となり。支柱管は水面より出る管で、水面のブイにある支持管の中を通過し、上、下に稼働できる方法で固定される。支柱管の長さを調整することで、取水Ｔ字管の底部面取水口よりダム底部面の堆積物を掘削する深さを調整が可能となる。
Ｔ字管中間口は吸い込み管接続口となり、吸い込み管には可変可能な管を接続して、水面上のブイに接続する。ブイから内部排水管は接続してダム堰堤を越えて、ダム堰堤の外側の外部排水管に接続される。外部排水管先端部よりダム堰堤内側の水は放流水として流下させる、外部排水管先端部には止水栓を設けてある。
内部排水管上部には空気取入口開閉弁設けて、サイフォン作用が働いている時に空気取入口開閉弁を開けると、管の中に空気が入りサイフォン作用は止まる。
サイフォン作用を発生させるためには、外部排水管先端部の止水栓閉じて、外部排水管上部の注水口開閉弁を開け、ここから注水をして、開口部まで水位が上昇したら注水を止め、注水口開閉弁閉じる。次に外部排水管先端部の止水栓を開けることで、排水管内部にサイフォン作用発性させることを特徴とするサイフォンクリーナー。
【請求項２】
取水堰において、堆積物の砂などを取水堰を越えて下流側に放流水と一緒に流下させる。
取水堰が可動堰の場合において、可動取水堰と一体構造にするために、取水堰の上部から下側に向けて，両側面に２枚板をはり合わせた平型トンネル形状を取水堰に乗せて取水堰と一体化構造にする。
２枚の板間はすこしの隙間を設けて、取水口の形状は横に長い長方形口となる。
出口側も同じく横に長い長方形口となり、２枚板の間に水が流れる平型トンネル形状が出来る。
取水堰構造の厚さ分より、両側に折り曲げて、逆Ｕ字型構造として取水堰の上から乗せる。
平型トンネル形状は、取水堰両側面に底部流水取水口と放流水出口を設けた。
平型トンネル形状は、板を２枚はり合わせて内部に横に長い長方形の平型トンネルを完成させる。サイフォン作用の発生可能にするには，取水堰の内側水位が、取水堰より下がっている時は、放流水出口に止水パッキンを加えておき、平型トンネル形状上側にある注水口開閉弁を開けて、ここから注水をして、水位が開口まで上昇した時に、注水口開閉弁を閉じて、放流水出口にある止水パッキンを除去することで、平型トンネル形状にサイフォン作用が発生する。
サイフォン作用を停止させるには、平型トンネル形状の背面にある空気取入口開閉弁を開けておくと、水位が空気取入口にまで水位が下がると、空気取入口開閉弁より空気が入り、平型トンネル形状のサイフォン作用は停止する。
オーバーフロー水が取水堰を越えた時は、オーバーフロー水の下側に平型トンネル形状が設置されているので、底部流水取水口より底面放流水が入り、放流水出口側より流下させることで平型トンネル形状の中にサイフォン作用が発生する。筒状の管形状と同じように平型トンネル形状もサイフォン作用が可能になった。サイフォン作用により取水堰内側の堆積物を放流水と一緒に取り出すことを可能にした、２枚板のはり合わせした平型トンネル形状にしたことを特徴とするサイフォンクリーナー。
【手続補正２】
【補正対象書類名】明細書
【補正対象項目名】全文
【補正方法】変更
【補正の内容】
【発明の詳細な説明】
【技術分野】
【０００１】  本発明は、ダムの底部に堆積する、土、砂と取水堰でも同じく堆積物などを、放流水と一緒に出すことが可能な、サイフォンクリーナーです。
【背景技術】
【０００２】  従来のダム底部堆積物の撤去は、水面より船で底部堆積物を船上に引き上げている、底部堆積物を撤去するには、エネルギーの消費をともなう、取水堰においては、可動取水堰を開けると、大量の土、砂が放流されるために、下流に対して魚業権の問題が発生する。
【発明の開示】
【発明が解決しよとする課題】
【０００３】  前記のダムと取水堰の堆積物撤去は、人手とエネルギー消費を伴う、下流側に対しては魚業権の保償問題が発生する。
本発明は、エネルギー消費がゼロの自然エネルギーのサイフォン作用を活用して、放流水と一緒に堆積物を取り出すことを可能にした、サイフォンクリーナーを提案する。
【課題を解決するための手段】
【０００４】  本発明は、上記目的を達成するために。
ダムの底部面に接する取水Ｔ字管は、筒状の管で、先端部は斜めにカット面取水口を設けて、底部面に接する平板には、中心部に穴を設けて、ここに斜めにカットされた取水Ｔ字管を差し込み固定する、
平板のダム底部面に接する裏側面は、底部面取水口となる。
平板の表側面は、斜めカット面が出ている、表側取水口となる。
浮遊物の進入防止柵を設ける、水中からは表側取水口となり、平板の表側面と裏側面ともに取水口が２か所となります。
取水Ｔ字管は平板に固定され、平板の表面と裏面の両面が取水口となる。
取水Ｔ字管の上側管口は、水面まで伸びる支柱管接続口となり。支柱管は水面より出る管で、水面のブイにある支持管の中を通過し、上、下に稼働できる方法で固定される。支柱管の長さを調整することで、取水Ｔ字管の底部面取水口よりダム底部面の堆積物を掘削する深さを調整が可能となる。
Ｔ字管中間口は吸い込み管接続口となり、吸い込み管には可変可能な管を接続して、水面上のブイに接続する、ブイから内部排水管は接続してダム堰堤を越えて、ダム堰堤の外側の外部排水管に接続される。外部排水管先端部よりダム堰堤内側の水は放流水として流下させる、外部排水管先端部には止水栓を設けてある。
内部排水管上部には空気取入口開閉弁設けて、サイフォン作用している時に空気取入口開閉弁を開けると、管の中に空気が入りサイフォン作用は止まる。
サイフォン作用を発生させるためには、外部排水管先端部の止水栓閉じて、外部排水管上部の注水口開閉弁を開け、ここから注水をして、開口部まで水位が上昇したら注水を止め、注水口開閉弁閉じる。次に外部排水管先端部の止水栓を開けることで、排水管内部にサイフォン作用発性させることを特徴とするサイフォンクリーナーで上記の課題を解決した。
【０００５】取水堰が可動堰の場合において、可動取水堰と一体構造にするために、取水堰の上部から下側に向けて，両側面に２枚板をはり合わせた平型トンネル形状を取水堰に乗せて取水堰と一体化構造にする。
２枚の板間はすこしの隙間を設けて、取水口の形状は横に長い長方形口となる、出口側も同じく横に長い長方形口となり、２枚板の間に水が流れる平型トンネル形状が出来る。
取水堰構造の厚さ分より、両側に折り曲げて、逆Ｕ字型構造として取水堰の上から乗せる。
平型トンネル形状は、取水堰両側面に底部流水取水口と放流水出口を設けた。
平型トンネル形状は、板を２枚はり合わせて内部に横に長い長方形の平型トンネルを完成させ。サイフォン作用の発生可能にするには，取水堰の内側水位が、取水堰より下がっている時は、放流水出口に止水パッキンを加えておき、平型トンネル形状上側にある注水口開閉弁を開けて、ここから注水をして、水位が開口まで上昇した時に、注水口開閉弁を閉じて、放流水出口にある止水パッキンを除去することで、平型トンネル形状にサイフォン作用が発生する。
サイフォン作用を停止させるには、平型トンネル形状の背面にある空気取入口開閉弁を開けておくと、水位が空気取入口にまで水位が下がると、空気取入口開閉弁より空気がはいり、平型トンネル形状のサイフォン作用は停止する。
取水堰を越えたオーバーフロー水の時は、オーバーフロー水の下側に平型トンネル形状が設置されているので、底部流水取水口より底面放流水が入り、放流水出口側より流下させることで平型トンネル形状の中にサイフォン作用が発生する。筒状の管形状と同じように平型トンネル形状もサイフォン作用が可能になった。サイフォン作用により取水堰内側の堆積物を放流水と一緒に取り出すことを可能にした、２枚板のはり合わせした平型トンネル形状にしたことを特徴とするサイフォンクリーナーで上記の課題を解決した。
【発明の効果】
【０００６】  上述したように、ダムの堆積物と取水堰の堆積物を、自然エネルギーを活用して、ダム堰堤の下流側に放流水と一緒にに取り出す、取水堰においても放流水と一緒に取り出すことで、下流に土、砂を少しずつ送ることで、川本来の機能がもどります。
【発明を実施刷するための形態】
【０００７】  以下、本発明の実施の形態を図１−図１６に基づいて説明する。
図１は、取水Ｔ字管平面図を示す。
取水Ｔ字管４は、管状の筒管で上側と中間に接続口となり、下側は取水口となり、上側接続口は支柱管９の支柱管接続口１となります。
【０００８】  図２は、取水Ｔ字管左側面図を示す。
表側取水口２の構造は、先端部から斜めにカット面を設けて、表側取水口２の入口に、水中の浮遊物の浮遊物進入防止柵５設けている。
【０００９】  図３は、取水Ｔ字管正面図を示す。
取水Ｔ字管４は、平板３の中に底部面取水口７を差し入れて組立され、平板３の上には浮遊物進入防止柵５が立つている。
【００１０】  図４は、取水Ｔ字管右側面図を示す。
取水Ｔ字管４の、中間接続口は吸いこみ管接続口６を設けている。
【００１１】  図５は、取水Ｔ字管底面図を示す。
平板３の裏側面は、底部面取水口７を設けてある。
【００１２】  図６は、ダム平面図を示す。
ダムの堰堤内側にはブイ８を設置して、ブイ８から吸い込み管１８が接続し、吸い込み管１８から内部排水管１０に接続し、その先には外部排水管１１に接続され、外部排水管１１の先端部には止水栓１３を設けて、止水栓１３から放水口１２となる。
【００１３】図７は、ダム断面図を示す。
ダム底部面に取水Ｔ字管４を設置し、サイフォン作用を発生させるには、外部排水管１１の先端の止水栓１３閉じて、外部排水管上部の注水口開閉弁１５を開けて、ここから注水をして、開口部まで水位が上まできたら注水を止めて、注水口開閉部弁１５を閉じて、次に外部排水管１１の先端にある止水栓１３を開けることで、注水口開閉弁１５から止水栓１３までの管内の水が放水口１２から出ることで、内部排水管１０の空気が放水口１２から出ることでより、吸い込み管１８の管内部の水もサイフォン作用により放水口１２まで流下する。
取水Ｔ字管４の平板３の表側と裏側取水口より水を吸い込みが発生する、
取水Ｔ字管４の底部面取水口７より、ダム底部面の堆積物１９は水と一緒に吸い込み管１９を経由して、内部排水管１０を通り外部排水管１１の先端部の止水栓１３の放水口１２より、放流水と一緒に堆積物１９はダム堰堤を越えて、下流に出すことが可能となる。
堆積物１９は時間とともに、少しずつ堆積の窪み２０が深くなってくる、取水Ｔ字管４は一定の深さまできたら停止させるには、取水Ｔ字管４の支柱管接続口１に接続される支柱管９が窪みに合わせて、少しずつ下がっていく、ブイ８の中で支柱管９が一定までさがると、支柱管９の上部に横柱３２により、ブイ８の中で横柱３２によりブイ８の内径３３に引っ掛かり、支柱管９は停止することで、堆積物の窪み２０の深さが止まる。
サイフォン作用の停止は内部排水管１０の空気取入口開閉弁１６を開けて、管の中に空気が入りますとサイフォン作用は停止する。
【００１４】  図８は、平型トンネル形状背面図を示す。
平型トンネル形状２４の背面には、空気取入口開閉弁１６と下側には底部流水取水口２２がある。
【００１５】  図９は、平型トンネル形状断面図を示す。
２枚の板をはり合わせ一定の空間を設けて、平型トンネル形状となっている。
取水堰の上から乗せるために逆Ｕ字型構造となり、図９の左側には底部流水取入口２２となり、右側には放流水出口２３を設けてある。
【００１６】  図１０は、平型トンネル形状正面図を示す。
取水堰の下流側に面に、板面の下側には放流水出口２３がある。
【００１７】  図１１は、平型トンネル形状平面図を示す。
上部にはサイフォン作用を発生させるための注水口開閉弁１５を設けている。
【００１８】  図１２は、平型トンネル形状底面図を示す。
平型トンネル形状２４の底部流水取入口２２の構造は、２枚の板をはり合わせたことで、横に長い長方形口構造が底部流水取入口２２となる。
【００１９】  図１３は、平型トンネル形状が取水堰に装着断面図を示す。
可動取水堰の内側の取水堰水面高い２９において、平型トンネル形状２４に対して、オーバーフロー水が発生していない時に、サイフォン作用を発生させるためには、放流水出口２３に止水パッキン３４を加えておき、平型トンネル形状２４の上にある、注水口開閉弁１５を開けてここから、注水をして、水位が注水口まで上昇してきた時に、注水口開閉弁１５を閉じて、放流水出口２３の止水パッキン３４を除去することで、平型トンネル形状２４にサイフォン作用が発生する。
【００２０】  図１４は、平型トンネル形状可動堰装着正面図を示す。
可動取水堰の下流側面に対して、平型トンネル形状２４の放流側出口２３設置される。
【００２１】  図１５は、平型トンネル形状放流水断面図を示す。
平型トンネル形状２４の上側を取水堰水面２８がオーバーフロー水２５として流下している時、可動取水堰２６の内側の水は底面放流水２７となって、平型トンネル形状２４の底部流水取水口２２に水圧により水が入り、放流水出口２３に排水される時にサイフォン作用が発生する、
サイフォン作用で堆積物１９も放流水と一緒に流下していく。
【００２２】  図１６は、止水パッキン立体図を示す。
止水パッキン３４はスポンジ状の材質からなり、放流水出口に外側より入れて、一時的に放流水を止める時に使用する。
【図面の簡単な説明】
【００２３】
【図１】  取水Ｔ字管平面図
【図２】  取水Ｔ字管左側図
【図３】  取水Ｔ字管正面図
【図４】  取水Ｔ字管右側図
【図５】  取水Ｔ字管底面図
【図６】  ダム平面図
【図７】  ダム断面図
【図８】  平型トンネル形状背面図
【図９】  平型トンネル形状断面図
【図１０】  平型トンネル形状正面図
【図１１】  平型トンネル形状平面図
【図１２】  平型トンネル形状底面図
【図１３】  平型トンネル形状可動堰装着断面図
【図１４】  平型トンネル形状可動堰装着正面図
【図１５】  平型トンネル形状放流水断面図
【図１６】  止水パッキン立体図
【符号の説明】
【００２４】１、    支柱管接続口
２、    表側取水口
３、    平板
４、    取水Ｔ字管
５、    浮遊物進入防止柵
６、    吸い込み管接続口
７、    底部面取水口
８、    ブイ
９、    支柱管
１０、  内部排水管
１１、  外部排水管
１２、  放水口
１３、  止水栓
１４、  通路
１５、  注水口開閉弁
１６、  空気取入口開閉弁
１７、  ダム堰堤
１８、  吸い込み管
１９、  堆積物
２０、  堆積物の窪み
２１、  ダム水面
２２、  底部流水取水口
２３、  放流水出口
２４、  平型トンネル形状
２５、  オーバーフロー水
２６、  可動取水堰
２７、  底面放流水
２８、  取水堰水面
２９、  取水堰水面高い
３０、  取水堰水面低い
３１、  可動取水堰の受台
３２、  横柱
３３、  内径
３４、  止水パッキン
【手続補正３】
【補正対象書類名】図面
【補正対象項目名】全図
【補正方法】変更
【補正の内容】
【図１】
2013142283.tif 000014
【図２】
2013142283.tif 000015
【図３】
2013142283.tif 000016
【図４】
2013142283.tif 000017
【図５】
2013142283.tif 000018
【図６】
2013142283.tif 000019
【図７】
2013142283.tif 000020
【図８】
2013142283.tif 000021
【図９】
2013142283.tif 000022
【図１０】
2013142283.tif 000023
【図１１】
2013142283.tif 000024
【図１２】
2013142283.tif 000025
【図１６】
2013142283.tif 000026
【図１３】
2013142283.tif 000027
【図１４】
2013142283.tif 000028
【図１５】
2013142283.tif 000029